(57)【要約】【課題】容易に組み立て可能であるとともに、製造コストも低く抑えられ、また、その使用性についても、衛生面や耐久性の課題を解決するバーチャル・リアリティ・ビューアの提供。【解決手段】接眼面と、該接眼面に対向して設けられ情報機器のディスプレイ画面に対応する開口部が形成された対向面と、該接眼面と該対向面に連設され、上部を閉塞する天面、下部を閉塞する底面、および左右両側を閉塞する側面とを備え、前記接眼面には凸レンズに対応する２つのレンズ孔が設けられ、該レンズ孔の上方と下方には、凸レンズの縁部を挿入可能な開口が形成され、該開口に凸レンズの縁部を挿入することで凸レンズが保持されていることを特徴とするバーチャル・リアリティ・ビューア。【選択図】図１
2018136386.tif 000002
【特許請求の範囲】
【請求項１】
接眼面と、該接眼面に対向して設けられ情報機器のディスプレイ画面に対応する開口部が形成された対向面と、該接眼面と該対向面に連設され、上部を閉塞する天面、下部を閉塞する底面、および左右を閉塞する一対の側面とを備え、前記接眼面には凸レンズに対応する２つのレンズ孔が設けられ、該レンズ孔の上方と下方には、凸レンズの縁部を挿入可能な開口が形成され、該開口に凸レンズの縁部を挿入することで凸レンズが保持されていることを特徴とするバーチャル・リアリティ・ビューア。
【請求項２】
側面視で、接眼面を上底、対向面を下底、天面および底面を脚とする台形に形成されていることを特徴とする請求項１に記載のバーチャル・リアリティ・ビューア。
【請求項３】
前記側面に相当する左右一対の側板と、前記天面側を覆う天板、前記底面側を覆う底板、および前記対向面側を開閉可能に封止する裏蓋により前記接眼面側を除く５面を覆うカバー部材を備えたことを特徴とする請求項１に記載のバーチャル・リアリティ・ビューア。
【請求項４】
前記接眼面と前記天面の連設部分にあたる折り曲げ線に沿って上部切れ込みが、また、前記接眼面と前記底面の連設部分にあたる折り曲げ線に沿って下部切れ込みがそれぞれ設けられ、前記接眼面に対して前記天面および前記底面をそれぞれの折り曲げ線において折り曲げた状態で、該上部切れ込み、該下部切れ込み部分で凸レンズの縁部を挿入可能な開口部が形成される請求項１ないし３のいずれか１項に記載のバーチャル・リアリティ・ビューア。
【請求項５】
前記対向面の開口部には、開口の中心を指示するガイド部を設けたことを特徴とする請求項１ないし４の何れか１項に記載のバーチャル・リアリティ・ビューア。
【請求項６】
前記底面には、情報機器の画面中央を前記ガイド部に位置合わせするときに内部を覗き込むための覗き窓が形成されていることを特徴とする請求項５に記載のバーチャル・リアリティ・ビューア。
【請求項７】
内側部分が黒色に着色されていることを特徴とする請求項１ないし６のいずれか１項に記載のバーチャル・リアリティ・ビューア。
【請求項８】
前記対向面は少なくともスマホ等情報機器を載置可能な幅で裏蓋部の開口端部より奥まって配置されていることを特徴とする請求項３ないし７のいずれか１項に記載のバーチャル・リアリティ・ビューア。
【発明の詳細な説明】
【技術分野】
【０００１】
本発明は、簡易に組み立てることのできるバーチャル・リアリティ・ビューアに関する。
【背景技術】
【０００２】
近ごろ、新しい映像媒体としてバーチャル・リアリティ（ＶＲ）が注目を浴びている。このＶＲは、ＶＲゴーグルと呼ばれる機器のヘッドマウントディスプレイに内蔵された方位・加速度センサーにより、頭の向きに応じて３６０度のパノラマコンテンツを楽しむものが一般的であり、動画やゲームといったジャンルで、非常に没入感の高い映像体験ができるものである。
【０００３】
とりわけ、簡単にかかるＶＲを体験できるものとして、「簡易ＶＲゴーグル」と呼ばれるものが提供されている。この簡易ＶＲゴーグルとは、スマートフォンやタブレット（以下、「スマホ」という）等の情報機器の各種センサーやディスプレイを利用することで、簡単にパノラマコンテンツによるＶＲ体験が楽しめるデバイスであり、本体は段ボールやプラスチックで構成されるもので、手持ちのスマホを箱体に挿し込み、これを反対側のレンズ孔に取り付けたレンズから覗いて利用するのが一般的である（非特許文献１）。
【０００４】
このような簡易ＶＲゴーグルには、「ハコスコ」、「スマホＤＥヴァーチャル３Ｄゴーグル」、「ＤｉＶＲ」等があるが、簡易型とはいいながら、映像体験の質は「オキュラスリフト」等の高額なＶＲＨＭＤ（バーチャル・リアリティ・ヘッド・マウント・ディスプレイ）と遜色はなく、映像を出力するためのパソコンや接続用のケーブルが不要な点で、一般の使用には、より利便性が高いともいえるものである。
【０００５】
しかしながら、従来の簡易ＶＲゴーグルは、販促品やノベルティとして配布することが多く、また、組み立て前のコンパクトな形状で配送することにより郵送費用を低減させるために、使用者が簡単に組み立てられることが求められている。
【０００６】
本発明者は、かかる課題に着目し、検討を行った結果、従来の簡易型ＶＲゴーグルの有する簡便性等の特徴を有するとともに、さらに組み立ての簡便性、形状のコンパクト化を達成するビューアを開発した（特許文献１）。
【０００７】
このバーチャル・リアリティ・ビューアは、左右側面をワンタッチ底として形成することにより、組み立てが極めて容易となり、また、折り畳みも簡便に行うことができる。しかしながら、その製造工程では、接着剤により凸レンズを取り付ける作業が必要となるため製造コストが嵩み、また、歩留まりの低下にも繋がっていた。
【０００８】
また、段ボールや厚紙などの材質で形成されているバーチャル・リアリティ・ビューアの場合、繰り返しの使用により、使用時に顔が接触する部分に皮脂等が付着し、１日の間に大勢に使用される展示品の場合は衛生上の問題を生じ、個人で繰り返し使用する場合も、かかる接触部分から汚れや破れなどが生じるなど、耐久性の点でも問題が生じていた。
【０００９】
さらに、従来の簡易ＶＲゴーグルの場合、スマホを箱体内部にセットして、これを反対側のレンズから覗いて利用するが、左右二画面で構成されるバーチャル・リアリティの映像はその中心を正確に合わせないと、効果的にＶＲ体験を得ることができないという問題もあった。
【先行技術文献】
【非特許文献】
【００１０】
【非特許文献１】「ＶＲゴーグル徹底比較」、http://3dvr-store.com/panon/vr
【特許文献】
【００１１】
【特許文献１】特許第５８８７６２６号公報
【発明の概要】
【発明が解決しようとする課題】
【００１２】
そこで本発明は、従来のバーチャル・リアリティ・ビューアのかかる欠点を克服し、容易に組み立て可能であるとともに、製造コストも低く抑えられ、また、その使用性についても、衛生面や耐久性の問題を解決するバーチャル・リアリティ・ビューアの提供をその課題とするものである。
【課題を解決するための手段】
【００１３】
本発明は、上記課題を解決するものであり、接眼面と、該接眼面に対向して設けられ情報機器のディスプレイ画面に対応する開口部が形成された対向面と、該接眼面と該対向面に連設され、上部を閉塞する天面、下部を閉塞する底面、および左右を閉塞する一対の側面とを備え、前記接眼面には凸レンズに対応する２つのレンズ孔が設けられ、該レンズ孔の上方と下方には、凸レンズの縁部を挿入可能な開口が形成され、該開口に凸レンズの縁部を挿入することで凸レンズが保持されていることを特徴とするバーチャル・リアリティ・ビューアである。
【００１４】
また本発明は、側面視で接眼面を上底、対向面を下底、天面および底面を脚とする台形に形成されていることを特徴とするバーチャル・リアリティ・ビューアである。  
【００１５】
また本発明は、左右一対の側板と、前記天面側を覆う天板、前記底面側を覆う底板、および前記対向面側を開閉可能に封止する裏蓋により前記接眼面側を除く５面を覆うカバー部材を備えたことを特徴とするバーチャル・リアリティ・ビューアである。
【００１６】
また本発明は、前記接眼面と前記天面の連設部分にあたる折り曲げ線に沿って上部切れ込みが、また、前記接眼面と前記底面の連設部分にあたる折り曲げ線に沿って下部切れ込みがそれぞれ設けられ、前記接眼面に対して前記天面および前記底面をそれぞれの折り曲げ線において折り曲げた状態で、該上部切れ込み、該下部切れ込み部分で凸レンズの縁部を挿入可能な開口部が形成されるバーチャル・リアリティ・ビューアである。
【００１７】
また本発明は、前記対向面の開口部に、開口の中心を指示するガイド部を設けたことを特徴とするバーチャル・リアリティ・ビューアである。
【００１８】
また本発明は、前記底面に、情報機器の画面中央を前記ガイド部に位置合わせするときに内部を覗き込むための覗き窓が形成されていることを特徴とするバーチャル・リアリティ・ビューアである。
【００１９】
また本発明は、内側部分が黒色に着色されていることを特徴とするバーチャル・リアリティ・ビューアである。
【００２０】
また本発明は、前記対向面が裏蓋部の開口端部より少なくともスマホ等情報機器を載置可能な幅で奥まって配置されているバーチャル・リアリティ・ビューアである。
【発明の効果】
【００２１】
本発明のＶＲビューアは、開口に凸レンズの縁部を挿入するだけで凸レンズを簡単に接眼面に取り付けることができるため、接着剤などを使用した固定方法に比べ、製造コストを安価に抑えられ、また、歩留まりも向上させることができる。
【００２２】
また、本発明のＶＲビューアで、側面視で接眼面を上底、対向面を下底とする略台形に形成されているものは、使用時に顔との接触面積を最小限に抑えることができ、顔の皮脂の付着などに起因する汚れや衛生上の問題を解消するとともに、耐久性の問題も解決することができる。さらに、凸レンズと眼の距離がより近くなるため、より一層の映像への没入感を得ることができる。
【００２３】
また、本発明のＶＲビューアで、前記対向面の開口部に開口の中心を指示するガイド部を設けたものや、前記底面に覗き窓が形成されているものは、かかる覗き窓からＶＲビューアの内部を覗き込んで、情報機器の画面中央をガイド部と位置合わせすることができる。
【００２４】
また、本発明のＶＲビューアで、内側部分が黒色に着色されているものは、使用時のシアター効果を高めることができ、より一層の没入感を得ることができる。  
【図面の簡単な説明】
【００２５】
【図１】（ａ）本発明のＶＲビューアの第一実施態様を斜め上から示す斜視図。（ｂ）同ＶＲビューアを斜め下から示す斜視図。
【図２】（ａ）本発明のＶＲビューアの第一実施態様の正面図。（ｂ）同ＶＲビューアの背面図。
【図３】（ａ）本発明のＶＲビューアの第一実施態様の天面図。（ｂ）同ＶＲビューアの底面図。（ｃ）同ＶＲビューアの側面図。
【図４】本発明のＶＲビューアの第一実施態様の展開図。
【図５】本発明のＶＲビューアの第一実施態様の使用状態を示す側面図。
【図６】（ａ）本発明のＶＲビューアの第二実施態様を斜め上前方から示す斜視図。（ｂ）同ＶＲビューアを斜め上後方から示す斜視図。
【図７】本発明のＶＲビューアの第二実施態様の展開図。
【発明を実施するための形態】
【００２６】
次に図面を参照しながら本発明のＶＲビューアを具体的に説明する。なお、本発明はこれら実施態様に何ら制約されるものではない。
【００２７】
本発明のＶＲビューア１は、図１ないし図３に示すように、組み立て時の基本的な態様において、凸レンズ３が取り付けられた接眼面（１１）と、該接眼面（１１）に対向して設けられた対向面（１２）と、該接眼面（１１）と該対向面（１２）に連設され、上部を閉塞する天面（１３）、下部を閉塞する底面（１４）、および左右両側を閉塞する側面（１５）とを備えた箱状に形成されており、対向面（１２）にはスマートフォン（以下、「スマホ」と略する）等の情報機器のディスプレイ画面に対応する開口部が形成されている。
【００２８】
図４は、第一実施態様のＶＲビューア１の組み立て前の状態を示す展開図である。図に示すように、本発明のＶＲビューア１は、展開状態で、対向面１２、天面１３、接眼面１１および底面１４が順次連設されており、さらに、対向面１２の左右辺部には一対の側面１５が、天面１３および底面１４の左右辺部には一対のフラップ片１３１、１４２が、また、接眼面１１の左右辺部には一対のフラップ片１１２が、それぞれ連設されている。これらの各部位は、互いの接合部である折り曲げ線ｆにて折り曲げ可能に形成されている。以下、各部について詳述する。
【００２９】
本発明のＶＲビューア１の接眼面１１には、２つのレンズ孔１１１が形成されている。該レンズ孔１１１は、凸レンズ３の直径に対応する径の丸孔に開口されている。そして、接眼面１１と天面１３の連設部分にあたる折り曲げ線ｆに沿って上部切れ込み１１３ａが、また、接眼面１１と底面１４の連設部分にあたる折り曲げ線ｆに沿って下部切れ込み１１３ｂが、それぞれ天面１３および底面１４側へと突出するように形成されている。かかる上部切れ込み１１３ａはレンズ孔１１１の上方にあたる位置に、また、下部切れ込み１１３ｂはレンズ孔１１１の下方にあたる位置にそれぞれ設けられている。さらに、接眼面１１とフラップ片１１２の連設部分にあたる折り曲げ線ｆに沿って、切れ込み１１４が形成されている。
【００３０】
対向面１２には、スマホ等情報機器のディスプレイ画面に対応する開口部１２１が形成されている。かかる開口部１２１には、本実施態様のように開口部の中心を指示するためのガイド部１２２を設けてもよい。かかるガイド部１２２は、開口部１２１の長手辺（本実施態様では組み立て時に下側になる長手辺）の中央部分に、その先端部分が開口部１２１の中心を指し示して突出する三角形状に形成されている。なお、本実施態様ではガイド部１２２は三角形状に形成されているが、開口部１２１の中心を指し示すものであれば、その形状は三角形に限定されない。
【００３１】
また、天面１３が連設された辺とは反対側の対向面１２の辺部には、一対の差込片１２３が突設されている。さらに、対向面１２の左右辺部に連設された側面１５の先端部には、差込片１５１が突設されている。
【００３２】
天面１３と底面１４には、それぞれの左右辺部に一対のフラップ片１３１、１４２が連設されており、さらに、底面１４には、接眼面１１が連設された辺とは反対側の辺部にフラップ片１４３が連設されている。そして、底面１４とフラップ片１４３の連設部分にあたる折り曲げ線ｆに沿って、切れ込み１４４が形成されている。なお、底面１４には、情報機器のディスプレイ画面中央をガイド部１２２に位置合わせするときに内部を覗き込むための覗き窓１４１を形成してもよい。
【００３３】
以下に、本発明のＶＲビューア１の組み立て方を説明する。展開状態のＶＲビューア１は、基本的に各折り曲げ線ｆにおいて同じ方向（山折りもしくは谷折り）に折り曲げるものとする。まず、接眼面１１に対して天面１３および底面１４を折り曲げ線ｆにおいて同一方向へと折り曲げる。このとき、これら２箇所の折り曲げ線ｆに沿って形成されている上部切れ込み１１３ａと下部切れ込み１１３ｂは、天面１３および底面１４側へと突出するように形成されているため、天面１３および底面１４を折り曲げることで突出分の幅で開口部が形成される。
【００３４】
次に、接眼面１１へ凸レンズ３を取り付ける。該凸レンズ３は、レンズ孔１１１と略同径のレンズ部３１の外周縁に沿って、鍔状の縁部３２が突出するように形成されている。そして、レンズ部３１をレンズ孔１１１の位置に合わせたときに、縁部３２の上下の一部がその開口内へと挿入される位置に上部切れ込み１１３ａと下部切れ込み１１３ｂが形成されている。したがって、凸レンズ３は、レンズ部３１をレンズ孔１１１に合わせ、縁部３２の上下の一部をレンズ孔１１１の上下に形成された開口部へと挿入するだけで接眼面１１に対して固定することができる。
【００３５】
このように、凸レンズ３の取り付けが完了した後、対向面１２が接眼面１１に対向するように折り曲げ線ｆにて折り曲げる。そして、全体が中空の筒状となったところで、フラップ片１４３を折り曲げ線ｆにおいて内側へ折り曲げ、対向面１２に連設された差込片１２３を切れ込み１４４部分へと差し込んで固定する。
【００３６】
次に、筒状となったＶＲビューア１の両側面の開口部分を塞ぐように、フラップ片１１２、１３１、１４２を順次折り曲げ線ｆにおいて内側へ折り込んでいく。そして、最後に、それらフラップ片１１２、１３１、１４２の上から重ねるように側面１５を折り曲げ線ｆにおいて折りたたみ、差込片１５１を切れ込み１１４へと差し込んで固定する。
【００３７】
以上の手順により、本件発明のＶＲビューア１は簡易に組み立てることができる。組み立て後のＶＲビューア１は、図１、３に示すように、側面視で接眼面１１を上底、対向面１２を下底、天面１３および底面１４を脚とする台形を形成する。
【００３８】
次に、本発明のＶＲビューア１の使用方法について図５により説明する。まず、スマホなどの情報機器Ｄのディスプレイ画面側を対向面１２にあてがって保持する（保持する指等は図示せず）。このとき、情報機器Ｄの画面はその中心を正確に合わせる必要があるが、底面１４に設けた覗き窓１４１からＶＲビューア１の内部を覗き込むことができるため、かかる覗き窓１４１を介して内部を見ながら情報機器の画面中央をガイド部１２２と正確に位置合わせすることができる。
【００３９】
次に、接眼面１１が顔の前に位置するように保持し、接眼面１１に取り付けられた凸レンズ３からＶＲビューア１の内部を覗く。このとき、スマホ等情報機器Ｄの画面に表示されるサイドーバイーサイド方式ＶＲを視ることにより、スマホ等の各種センサー等の機能で簡単にパノラマコンテンツによるＶＲ体験が楽しめる。
【００４０】
本実施態様のＶＲビューア１は、図５で示すように、接眼面１１が対向面１２よりも高さ方向の幅が狭い台形に形成されているため、額から鼻先の間でＶＲビューア１に接する部分も、従来のビューアのように面で接触することはなく、接眼面１１と天面１３および底面１４の連設部分のみとなり、顔との接触面積を最小限に抑えることができる。このことにより、顔の皮脂の付着などに起因する汚れや衛生上の問題を解消するとともに、耐久性の問題も解決することができる。さらに、接眼面１１側の幅が狭く形成されているため、凸レンズ３と眼の距離がより近くなり、より一層の映像への没入感を得ることができる。
【００４１】
本発明のＶＲビューア１は、その外側部分にはフルカラー印刷等により文字や図柄等を付して装飾効果、広告宣伝効果を得ることができ、また、その印刷の上からＵＶニス加工を施すことにより耐水性、耐久性等を向上させることができ、好ましい。さらに、その内側部分は、すべて黒色に着色することにより、使用時のシアター効果を高めることができ、より一層の没入感を得ることができるため好ましい。
【００４２】
次に、本発明のＶＲビューアの第二実施態様として、没入感をより高めるために接眼面側のみ開口してＶＲビューアの本体を箱状に囲ったカバー部材を設けたものについて説明する。図６および７に示すように、かかるカバー部材は、ＶＲビューア２の天面２３側を覆う天板２６、底面２４側を覆う底板２７、第一実施態様の側面１５に相当し左右一対に設けられた側板２５ａ、２５ｂ、対向面２２ａ、２２ｂ側を封止する裏蓋２８から構成され、接眼面２１側を除く５面を覆う略直方体に形成されている。
【００４３】
図７は、第二実施態様のＶＲビューア２の展開図である。図に示すように、本実施態様のＶＲビューア２は、天面２３に折り込み部２３１を介して天板２６が連設されている。また、天板２６の左右辺部には一対の側板２５ａ、２５ｂが連設され、かかる側板２５ａ、２５ｂの上側の辺には一対の折り込み片２５１ａ、２５１ｂが連設されるとともに、側板２５ａ、２５ｂの下側の辺には折り込み部２２３ａ、２２３ｂを介して対向面２２ａ、２２ｂがそれぞれ連設されている。さらに、天板２６が連設された側とは反対側の側板２５ｂの辺部には底板２７が連設され、かかる底板２７の下側の辺には裏蓋２８が連設されている。以上の各部材はそれらの接合部において互いに折り曲げ可能に形成されている。
【００４４】
第二実施態様のＶＲビューア２においても、接眼面２１と天面２３の連設部分にあたる折り曲げ線ｆに沿って上部切れ込み２１３ａが、また、接眼面２１と底面２４の連設部分にあたる折り曲げ線ｆに沿って下部切れ込み２１３ｂが、それぞれ天面２３および底面２４側へと突出するように形成されている。かかる上部切れ込み２１３ａはレンズ孔２１１の上方にあたる位置に、また、下部切れ込み２１３ｂはレンズ孔２１１の下方にあたる位置にそれぞれ設けられている。
【００４５】
次に、第二実施態様のＶＲビューア２の組み立て方について説明する。まず、接眼面２１に、凸レンズ３を上述の第一実施態様と同様の手順により取り付ける。すなわち、接眼面２１に対して天面２３および底面２４を折り曲げ線ｆにおいて同一方向へと折り曲げる。このとき、これら２本の折り曲げ線ｆに沿って形成されている上部切れ込み２１３ａと下部切れ込み２１３ｂは、天面２３および底面２４側へと突出するように形成されているため、突出分の幅で開口部が形成される。そして、上部切れ込み２１３ａ、下部切れ込み２１３ｂ部分の開口部へ凸レンズ３の端部３２の一部を挿入して保持する。
【００４６】
凸レンズ３を接眼面２１に取り付けた後、折り込み部２３１と天板２６の接合部分から天面２３、接眼面２１、底面２４を天板２６側へと折り返す。次に、折り込み片２５１ａ、２５１ｂを側板２５ａ、２５ｂの上から重ねるように折り返し、さらに、その状態で側板２５ａ、２５ｂを天板２６に対して垂直になるようにその接合部で立ち上げる。次に、天面２３、接眼面２１、底面２４の各連設部を折り曲げ、接眼面２１を天板２６に対して垂直になるように立ち上げるとともに、底面２４を手前側に折り返す。そして、接眼面２１の両端に突設されている差込片２１２を折り込み片２５１ａ、２５１ｂに形成されている差込孔２５４ａ、２５４ｂに挿入し、また、天面２３の両端に突設されている差込片２３３を差込孔２５２ａ、２５２ｂへ、さらに、底面２４の両端に突設されている差込片２４４を差込孔２５３ａ、２５３ｂへそれぞれ挿入して固定する。
【００４７】
次に、折り込み部２２３ｂを側板２５ｂ側へ折り込むとともに、対向面２２ｂを側板２５ｂに対して垂直になるように折り込み部２２３ｂとの接合部にて折り曲げ、接眼面２１と対向するよう配置する。そして、対向面２２ｂの両端（組み立て時には上下の辺）に突設されている差込片２２６、２２７を、天面２３と折り込み部２３１の接合部に設けられた差込孔２３２と、底面２４と折り込み部２４２の接合部に設けられた差込孔２４３へそれぞれ挿入して固定する。同じく、折り込み部２２３ａを側板２５ａ側へ折りたたむとともに、対向面２２ａを側板２５ａに対して垂直になるように折り込み部２２３ａとの接合部にて折り曲げ、対向面２２ｂの上に重ねて配置する。そして、折り込み部２２３ａとの接合部とは反対側の対向面２２ａの辺部に突設されている差込片２２４を、対向面２２ｂと折り込み部２２３ｂの接合部に設けられた差込孔２２５へ挿入して固定する。
【００４８】
次に、天板２６との接合部とは反対側の側板２５ａの辺部に形成されている接着片２５５を内側へ折り曲げ、さらに、底板２７を側板２５ｂとの接合部にて内側へ折り曲げる。そして、接着片２５５の上になっている面を底板２７の裏側に接着剤や両面テープなどの接着手段により固定する。
【００４９】
最後に、対向面２２ａ、２２ｂ側の開口を塞ぐように裏蓋２８を底板２７に対して折り曲げ、底板２７との接合部とは反対側の裏蓋２８の辺部に連設されたフラップ片２８１を開口内へと差し込み、さらに、天板２６に形成された係止片２６２を裏蓋２８とフラップ片２８１の接合部に形成された切れ込み２８２に挿入して固定する。
【００５０】
以上の手順により、第二実施態様のＶＲビューア２は簡易に組み立てることができる。組み立て後のＶＲビューア２は、図６に示すように、第１実施態様のＶＲビューア１の側面１５に相当する部分に側板２５ａ、２５ｂが設けられているが、該側板２５ａ、２５ｂは第１実施態様の側面１５のような台形ではなく、正方形ないし矩形に形成されている。そして、天板２６は天面２３側を覆い、底板２７は底面２４側を覆い、対向面２２ａ、２２ｂ側の開口は裏蓋２８により開閉可能に封止され、これらにより接眼面２１側を除く５面を覆う略直方体のカバー部材が形成される。
【００５１】
なお、この第二実施態様のものは、対向面が２２ａと２２ｂの二枚重ねになっており、このように、対向面２２を二枚重ねとすることにより強度が向上するため好ましい。また、天板２６および底板２７はともに接眼側の辺部を図のように凹状に切り欠いた凹部２６１、２７１を設けることが好ましい。このように、凹部２６１、２７１を設けることにより、使用者の顔と天板２６、底板２７との隙間がより小さくなるため、外光を効果的に遮断でき、没入感を高めることができる。
【００５２】
以下では、第二実施態様のＶＲビューア２の使用方法について説明する。本実施態様のＶＲビューア２は、天板２６、側板２５ａ、２５ｂ、底板２７に対して対向面２２ａ、２２ｂが少なくともスマホを載置可能な幅で本体の内側にセットバックして配置されている。すなわち、対向面２２ａ、２２ｂは折り込み部２２３ａ、２２３ｂが本体内へ折り込まれた幅分だけ、裏蓋２８側の開口端部より奥まって配置されている。そして、この奥まった部分にはスマホ等情報機器を載置することができる。
【００５３】
具体的には、ＶＲビューア２にスマホ等情報機器を取り付ける場合、まず、裏蓋２８を開けて対向面２２ａを露出させる。そして、上述のとおり対向面２２ａは開口端部より奥まって配置されているため、折り込み部２４２にスマホ等情報機器を載置することができる。そして、第一実施態様の場合と同様、底面２４に設けた覗き窓２４１からＶＲビューア２の内部を覗き込んで、情報機器の画面中央をガイド部２２２と位置合わせすることができる。
【００５４】
位置合わせが完了したら、裏蓋２８を閉めることにより、情報機器は対向面２２ａと裏蓋２８の間に挟まれて保持される。従って、使用者は情報機器をＶＲビューア２本体から外れないように固定して保持する必要がない。なお、裏蓋２８を閉めた後に位置合わせのために情報機器を左右にずらす場合は、裏蓋２８の左右辺部に形成された凹部２８３部分から露出する情報機器の一部を押すなどして微調整することが可能である。
【００５５】
そして、使用者は接眼面２１を顔の前で保持し、接眼面２１に取り付けられた凸レンズ３からＶＲビューア２の内部を覗くことで、ＶＲ体験を楽しむことができる。なお、天板２６、底板２７、側板２５ａ、２５ｂにより上下左右が囲われることで目の周囲のより広い範囲で密閉空間が形成され、シアター効果を高めることができる。
【００５６】
本発明のＶＲビューアは、例えば、板紙、厚紙、ボール紙のような紙類や、プラスチック製のシート状物で構成することができるので、コスト的にも極めて安価なものである。
【００５７】
このようにして得られる本発明のＶＲビューアは、凸レンズ３および開口部を通し、スマホ等情報機器のディスプレイに表示されるサイドーバイーサイド方式ＶＲを視ることにより、スマホ等の各種センサー等の機能で簡単にパノラマコンテンツによるＶＲ体験が楽しめる。
【符号の説明】
【００５８】
１  ‥‥  ＶＲビューア
２  ‥‥  ＶＲビューア
３  ‥‥  凸レンズ
１１  ‥‥  接眼面
１２  ‥‥  対向面
１３  ‥‥  天面
１４  ‥‥  底面
１５  ‥‥  側面
２１  ‥‥  接眼面
２２  ‥‥  対向面
２３  ‥‥  天面
２４  ‥‥  底面
２５ａ  ‥‥  側板
２５ｂ  ‥‥  側板
２６  ‥‥  天板
２７  ‥‥  底板
２８  ‥‥  裏蓋
３１  ‥‥  レンズ部
３２  ‥‥  縁部
１１１  ‥‥  レンズ孔
１１２  ‥‥  フラップ片
１１３ａ  ‥‥  上部切れ込み
１１３ｂ  ‥‥  下部切れ込み
１１４  ‥‥  切れ込み
１２１  ‥‥  開口部
１２２  ‥‥  ガイド部
１２３  ‥‥  差込片
１３１  ‥‥  フラップ片
１４１  ‥‥  覗き窓
１４２  ‥‥  フラップ片
１４３  ‥‥  フラップ片
１４４  ‥‥  切れ込み
１５１  ‥‥  差込片
２１１  ‥‥  レンズ孔
２１２  ‥‥  差込片
２１３ａ  ‥‥  切れ込み
２１３ｂ  ‥‥  切れ込み
２２１ａ  ‥‥  開口部
２２１ｂ  ‥‥  開口部
２２２  ‥‥  ガイド部
２２３ａ  ‥‥  折り込み部
２２３ｂ  ‥‥  折り込み部
２２４  ‥‥  差込片
２２５  ‥‥  差込孔
２２６  ‥‥  差込片
２２７  ‥‥  差込片
２３１  ‥‥  折り込み部
２３２  ‥‥  差込孔
２３３  ‥‥  差込片
２４１  ‥‥  覗き窓
２４２  ‥‥  フラップ片
２４３  ‥‥  差込孔
２４４  ‥‥  差込片
２５１ａ  ‥‥  折り込み片
２５１ｂ  ‥‥  折り込み片
２５２ａ  ‥‥  差込孔
２５２ｂ  ‥‥  差込孔
２５３ａ  ‥‥  差込孔
２５３ｂ  ‥‥  差込孔
２５４ａ  ‥‥  差込孔
２５４ｂ  ‥‥  差込孔
２５５  ‥‥  フラップ片
２６１  ‥‥  凹部
２６２  ‥‥  係止片
２７１  ‥‥  凹部
２８１  ‥‥  フラップ片
２８２  ‥‥  切れ込み
２８３  ‥‥  凹部
ｆ  ‥‥  折り曲げ線
Ｄ  ‥‥  スマホ等情報機器
【図１】
2018136386.tif 000003
【図２】
2018136386.tif 000004
【図３】
2018136386.tif 000005
【図４】
2018136386.tif 000006
【図５】
2018136386.tif 000007
【図６】
2018136386.tif 000008
【図７】
2018136386.tif 000009
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
接眼面と、該接眼面に対向して設けられ情報機器のディスプレイ画面に対応する開口部が形成された対向面と、該接眼面と該対向面に連設され、上部を閉塞する天面、下部を閉塞する底面、および左右を閉塞する一対の側面とを備え、前記接眼面には凸レンズに対応する２つのレンズ孔が設けられ、該レンズ孔の上方と下方には、凸レンズの縁部を挿入可能な開口が形成され、該開口に凸レンズの縁部を挿入することで凸レンズが保持され、前記接眼面と前記天面の連設部分にあたる折り曲げ線に沿って上部切れ込みが、また、前記接眼面と前記底面の連設部分にあたる折り曲げ線に沿って下部切れ込みがそれぞれ設けられ、前記接眼面に対して前記天面および前記底面をそれぞれの折り曲げ線において折り曲げた状態で、該上部切れ込み、該下部切れ込み部分で凸レンズの縁部を挿入可能な前記開口部が形成されることを特徴とするバーチャル・リアリティ・ビューア。
【請求項２】
側面視で、接眼面を上底、対向面を下底、天面および底面を脚とする台形に形成されていることを特徴とする請求項１に記載のバーチャル・リアリティ・ビューア。
【請求項３】
前記側面に相当する左右一対の側板と、前記天面側を覆う天板、前記底面側を覆う底板、および前記対向面側を開閉可能に封止する裏蓋により前記接眼面側を除く５面を覆うカバー部材を備えたことを特徴とする請求項１に記載のバーチャル・リアリティ・ビューア。
【請求項４】
前記対向面の開口部には、その先端部分が開口の中心を指示して突出する三角形状のガイド部を設け、前記底面には、情報機器の画面中央を前記ガイド部に位置合わせするときに内部を覗き込むための覗き窓が形成されていることを特徴とする請求項１ないし３の何れか１項に記載のバーチャル・リアリティ・ビューア。
【請求項５】
内側部分が黒色に着色されていることを特徴とする請求項１ないし４のいずれか１項に記載のバーチャル・リアリティ・ビューア。
【請求項６】
前記対向面は少なくともスマホ等情報機器を載置可能な幅で裏蓋部の開口端部より奥まって配置されていることを特徴とする請求項３ないし５のいずれか１項に記載のバーチャル・リアリティ・ビューア。